(57)【要約】【課題】プールの水の循環装置とその方法を提供する。【解決手段】本発明に係わるプールの水の循環装置は、建築済みのプールの中に設置されて使用され、又は、建築中のプールに嵌設されて使用され、プールの中に設置される容器があり、容器の前後両端に、それぞれ、プールの水面位置の上方に位置する一列の排水口と入水口が設けられ、また、容器の前端に設置される水循環動作機構により、制御可能の流速で、容器の前端に位置する水を押して、排水口からプールのもう一端の方向へ流し、押されたプールの水が、容器の入水口から容器の中に入り込んで、排水口へ向かって流れて、循環水流を形成する。【選択図】図１
2007309003.tif 000002
【特許請求の範囲】
【請求項１】
小型プールの中に設置されて使用され、
プールの中に設置され、前後両端に、それぞれ、排水口と入水口が設けられ、当該放入水口が、プールの水面位置の上方に位置する容器と、
容器の前端に設置され、制御可能の流速で、容器の前端に位置する水を押して、排水口からプールのもう一端の方向へ流し、押されたプールの水が、容器の入水口から上記の容器の中に入り込んで、排水口へ向かって流れて、循環水流を形成する水循環動作機構と、が含有されることを特徴とするプールの水の循環装置。
【請求項２】
当該容器は、連通される底箱と、底箱の両端から、それぞれ、上へ延伸する前後箱とが含有され、当該前箱の内側の上方に、当該排水口が形成され、当該後箱の内側の上方に、当該入水口が形成されることを特徴とする請求項１に記載のプールの水の循環装置。
【請求項３】
当該前箱の排水口の高さが、後箱の入水口の高さより高いことを特徴とする請求項２に記載のプールの水の循環装置。
【請求項４】
当該前箱の排水口の幅が、後箱の入水口の幅より狭いことを特徴とする請求項２に記載のプールの水の循環装置。
【請求項５】
当該水循環動作機構は、少なくとも、電動機と、複数の駆動体と、複数のタービン翼セットとが含有され、底部のプールの水を上へ押して、排水口から排出することを特徴とする請求項２に記載のプールの水の循環装置。
【請求項６】
更に、複数のガイドパイプが含有され、当該ガイドパイプが、それぞれ、タービン翼セットに接続されることを特徴とする請求項５に記載のプールの水の循環装置。
【請求項７】
当該複数のガイドパイプが、前ガイドパイプセットと後ガイドパイプセットとに分けられ、当該後ガイドパイプセットの上方が、前ガイドパイプセットの上方より高いことを特徴とする請求項６に記載のプールの水の循環装置。
【請求項８】
更に、各ガイドパイプの上方に位置するガイド板があることを特徴とする請求項６に記載のプールの水の循環装置。
【請求項９】
当該水循環動作機構が、前箱の内部に設けられることを特徴とする請求項５に記載のプールの水の循環装置。
【請求項１０】
当該水循環動作機構は、複数のタービン翼セットが前箱の内部に設けられ、当該電動機が、前箱の外部に設けられることを特徴とする請求項５に記載のプールの水の循環装置。
【請求項１１】
当該容器が、プールの内周縁に沿うように設置されることを特徴とする請求項１に記載のプールの水の循環装置。
【請求項１２】
当該水循環動作機構は、互いに連通される送風機と複数のノズルとが含有されることを特徴とする請求項１や２又は１１に記載のプールの水の循環装置。
【請求項１３】
更に、水循環動作機構と電気的に接続される検知器が含有され、水泳者の水泳速度を検知して、それに応じて、水循環動作機構の出力パワーを調整して、プールの水の流速を制御することを特徴とする請求項１や２又は１１に記載のプールの水の循環装置。
【請求項１４】
a、前後の両端に、それぞれ、プールの上方に位置する入水口と排水口とが設けられる容器をプールの中に設置するステップと、
b、容器の前端にある水を押すことにより、排水口からプールのもう一端へ向かって流れる水の流速を制御し、また、押されたプールの水が、容器の入水口から上記の容器に入り込んで、排水口の方向へ流れ、これにより、循環水流が発生される水循環動作機構を容器の前端に設置するステップと、が含有される、ことを特徴とするプールの水循環方法。
【発明の詳細な説明】
【技術分野】
【０００１】
本発明は、プールの水の循環システムに関し、特に、建築済みや建築中のプールに設置され、プールにおいて、循環水流を発生し、水水泳者が定点運動するための小型プールに適用されるプールの水の循環装置とその方法に関する。
【背景技術】
【０００２】
昔から、連続式プールが既に存在し、図１２は、１９２７年、M.I.Wheelerにより提案された米特許案(No.１，７３１，５５４)であり、主として、小型空間に応用されて、単独的に使用できるプール装置Aであり、当該プール装置Aの中にある水が、プールの底部に実装される水循環システムA１により押されて、プールの中で、上下に循環して、水泳者が定点水泳することに供する。また、図１３は、１９３４年、H.Raberにより提案された他の米特許案(No.２，０３５，８３５)であり、M.I.Wheelerによる特許案と同じように、小型空間に使用されるが、相違な所は、複雑の構造を簡素化して、コストダウンするものである。上記の二つの発明は、単独的に存在するプール設備であり、建築済みのプールに使用できない。
【０００３】
図１４は、ドイツ特許第２、２２２、５９４号許可案であり、主として、水循環の概念をプールBに応用し、建築する時、水循環システムB１とプールBとを一体に結合する。水循環システムB１を実装する時、専門技術者による実装作業が行わなければ、操作する時、水や電気が漏れる恐れがあり、そのため、実装コストが高く着き、また、実装された後、プールを破壊しない状態では、当該水循環システムを外すことができなく、実用的ではない。
【０００４】
既存の数多いプールは、長さが不足である場合、運動効果が良くなく、そして、プールの中に上記の水循環システムを実装すると、全面的な改装をしなければならないから、経済的ではない。
【０００５】
本発明は、上記の欠点を解消するために、水循環の効果が得られるだけでなく、建築済みの異なる長さのプールに設置でき、また、工事費を節約できるプールの水の循環装置を提供する。
【特許文献１】米特許案(No.１，７３１，５５４)
【特許文献２】米特許案(No.２，０３５，８３５)
【特許文献３】ドイツ特許第２、２２２、５９４号
【発明の開示】
【発明が解決しようとする課題】
【０００６】
本発明の主な目的は、容器と水循環動作機構とが含有され、プールに循環水流を発生するプールの水の循環装置を提供する。
【０００７】
本発明の他の目的は、容器と水循環動作機構とが含有され、組立て方式によりプールに設置されることにより、異なる長さのプールに適用できるプールの水の循環装置を提供する。
【０００８】
本発明の更に他の目的は、パワーの出力を調整できる水循環動作機構を制御して、循環水流の速度を制御し、水泳者の必要に応じて、異なる水泳の運動効果が得られるプールの水の循環装置を提供する。
【課題を解決するための手段】
【０００９】
本発明は、上記の目的を達成するために、容器と水循環動作機構とが含有され、既存のプールに設置されて使用されるプールの水の循環装置である。当該容器は、プールの中に設置され、前後の両端に、それぞれ、排水口と入水口とが設けられ、当該放入水口が、プールの水面位置の上方に位置し、当該水循環動作機構は、容器の前端に設置され、制御可能の流速で、容器の前端に位置する水を押して、排水口からプールのもう一端の方向へ流し、押されたプールの水が、容器の入水口から上記の容器の中に入り込んで、排水口へ向かって流れて、循環水流を形成する。
【００１０】
上記の容器は、連通された底箱と、底箱の両端から、それぞれ、上へ延伸する前後箱とが含有され、当該前箱の内側の上方に、当該排水口が形成され、当該後箱の内側の上方に、当該入水口が形成され、また、当該前箱の排水口の高さが、後箱の入水口の高さより高く、前箱の排水口の幅が、後箱の入水口の幅より狭い。
【００１１】
上記の水循環動作機構は、少なくとも、電動機と、複数の駆動体と、複数のタービン翼セットとが含有され、底部のプールの水を上へ押して、排水口から排出する。当該電動機は、前箱の外部に設けられても良いし、前箱の内部に設けられても良い。
【００１２】
本発明は、上記の容器が、プールの内周縁に沿うように設置されても良い。当該水循環動作機構は、互いに連通される送風機と複数のノズルとからなっても良い。
【００１３】
また、本発明は、水循環動作機構に電気的に接続される検知器が含有されても良く、当該検知器により、水泳者の水泳速度を検知して、相対的に水循環動作機構の出力パワーを調整して、プールの水の流速を制御することができる。
【発明を実施するための最良の形態】
【００１４】
図１は、本発明のプールの水循環方法のより良い実施例であり、建築済みや建築中のプールに適用され、a、前後の両端に、それぞれ、プールの上方に位置する入水口と排水口とが設けられる容器をプールの中に設置するステップと、b、容器の前端にある水を押すことにより、排水口からプールのもう一端へ向かって流れる水の流速を制御し、また、押されたプールの水が、容器の入水口から上記の容器に入り込んで、排水口の方向へ流れ、これにより、循環水流が発生される水循環動作機構を容器の前端に設置するステップと、が含有される。
【００１５】
図２、３は、本発明のプールの水の循環装置１の第１の実施例であり、建築済みのプール９や建築中のプールに適用され(図４を参照しながら)、プール９に設置される容器２と水循環動作機構３が含有される。
【００１６】
第１の実施例において、当該容器２は、ややＵ文字の板体構造であり、互に連通する、底箱２２と、当該底箱２２の両端からそれぞれ上へ延伸する前、後箱(２１、２３)とが含有され、当該前箱２１は、上方に、複数の上下に貫通する貫通孔２１１を有するパネルが設けられ、その内部に、複数の円形状のガイドパイプ２１２が設けられ、当該ガイドパイプ２１２の上方に、円弧状のガイド板２１３が設けられ、当該ガイド板２１３は、傾斜面の平ら板でもよい。当該前箱２１は、内側において、上方に、長方形である後箱２３へ向かう開口が形成され、当該開口が、排水口２４であり、当該底箱２２は、上面２２１の両側が、上から下へ向かって拡大するように傾斜し、二つの斜面２２２とより大きい面積を有する底面２２３とが形成され、これにより、安定的に、プール９に位置付けられ、当該後箱２３は、上方と内側の上方に、上方と前箱２１へ向かう欠け口が形成され、当該欠け口が、入水口２５とされる。上記の放入水口(２４、２５)は、それぞれ、複数の穴からなっても良く、その形態は、特に制限がない。また、より良い実施例において、当該前箱２１の排水口２４の高さが、後箱２３の入水口２５の高さより高く、当該前箱２１の排水口２４の幅が、後箱２３の入水口２５の幅より狭い。
【００１７】
当該水循環動作機構３は、容器２の前端に設置され、少なくとも、電動機３１と複数の駆動体３２及び複数のタービン翼セット３３が含有され、上記の電動機３１は、異なる回転速度に切り替えられるように制御され、当該駆動体３２は、前箱２１の上方に位置する板面の上の貫通孔２１１を通してそれぞれ、複数のタービン翼セット３３を連動する軸桿セットが含有される。本実施例において、当該複数のタービン翼セット３３は、前箱２１の内部に設けられ、電動機３１は、前箱２１の上方に設けられる。また、当該電動機３１は、防水可能の水中式でもよく、これにより、駆動体３２とタービン翼セット３３と一緒に、前箱２１の内部に実装することができる。
【００１８】
図５、６は、本発明の第１の実施例の循環水流の状態概念図であり、本発明の容器２は、建築済みのプール９の中に設置される時、当該容器２の放入水口(２４、２５)が、プール９の水面位置の上方に位置し、また、前箱２１の排水口２４の高さが、後箱２３の入水口２５の高さより高い。当該電動機３１により、駆動体３２が連動され、駆動体３２の一端に位置する複数のタービン翼セット３３が回転を開始すると、タービン翼セット３３の底部にあるプールの水は、それにより、上へ流れ、そして、前箱２１の内部に設けられ、それぞれ、タービン翼セット３３に接続される各ガイドパイプ２１２と、円弧状のガイド板２１３とのガイドにより、排水口２４から入水口２５へ向かって水平的に流れていき、その流速が、流動距離の増加とともに遅くなり、そして、扇形状に、拡散して、本発明の格別の設計である後箱２３の入水口２５へ流れ込む。そして、後箱２３と底箱２２の内部の水流通道２６を介して、前箱２１へ流れ込むことにより、循環水流が発生される。
【００１９】
図６、７を参照しながら、水泳者がプール９で水泳運動をする時、水泳者の体能状態や必要に応じて、電動機３１の回転速度を調整して、プールの水の流速を制御することにより、水泳者がほぼ原点で泳ぐことができ、そのため、プールの水との相対速度により、大きいプールで水泳運動をすると同じ効果が得られる。
【００２０】
上記のプールの水の循環流動速度を調整する方法は、本発明のような、予めに設定した電動機３１の異なる回転速度により、所定の水流速度を得られる方法に限らず、図６のように、プール９の側面に検知器４を設置して、当該検知器４が、水循環動作機構３の電動機３１に電気的に接続され、水泳者の循環水流に相対する水泳速度を検知し、水泳者の水泳速度が水流より遅いか速い速度である時、相対に、電動機３１の出力パワーを調整して、プールの水の流速を制御する。
【００２１】
図８は、第１の実施例の他の使用形態図であり、水循環の効果を達成するために、前記の水循環動作機構５は、互いに連通される送風機５１と複数のノズル５２が含有されても良い。上記の送風機５１は、空気圧縮機や高速水流を生成できるポンプであっても良い。当該複数のノズル５２は、容器２の前箱２１の内側に設置され、当該ノズル５２の噴出口が、後箱２３の入水口２５に向いていて、これにより、前箱２１内のプールの水が、前箱２１から後箱２３へ向かって流れる。
【００２２】
図９、１０を参照しながら、本発明の複数のガイドパイプ２１２は、上記のより良い実施例の配置方式の他に、複数のガイドパイプ２１２を、前ガイドパイプセット２１４と後ガイドパイプセット２１５とに分けて、当該前後ガイドパイプセット(２１４、２１５)の上方に、それぞれ、ガイド板２１３を設け、また、当該後ガイドパイプセット２１５の上方が、前ガイドパイプセット２１４の上方より高くするようにしても良い。これにより、水循環が、二つの流路を形成して、前箱２１の排水口２４から後箱２３の入水口２５へ向かって水平的に流れていく。
【００２３】
図１１は、本発明のプールの水の循環装置１の第２の実施例であり、当該容器６は、プール９の内周縁に沿うように設置され、当該容器６の前後両端に、それぞれ、排水口６１と入水口６２が設けられ、当該放入水口(６１、６２)が、プール９の水面位置の上方に位置する。本実施において、当該水循環動作機構５に互いに連通される送風機５１と複数のノズル５２とが含有されるのが、好ましい。上記の送風機５１は、空気圧縮機や高速水流を生成できるポンプであっても良く、容器６の前端にある水は、当該ノズル５２から高圧流体が噴出されることにより、押されて、制御できる流速で、排水口６１からプール９のもう一端の方向へ流れ、そして、押されたプールの水は、容器６の入水口６２から上記の容器６に入り込んで、また、排水口６１へ向かって流れ、循環水流が形成される。
【００２４】
本発明は、次の利点が得られる。
【００２５】
１、本発明によれば、パワー出力を調整可能の水循環動作機構が設けられるため、水泳者の実際の必要に応じて調整できて、相対的にプールの水流速度を制御できるため、非常に実用である。
【００２６】
２、本発明によれば、容器と水循環動作機構とが、直接に建築済みのプールに実装できるため、非常に便利である。
【００２７】
３、本発明によれば、容器と水循環動作機構とが、プール構造を変更しない前提で組立てられるため、工事費を節約できる。
【００２８】
４、本発明によれば、容器の水流通道とプールの水面により、循環水流が形成され、必要とするパワーが、従来の大型連続性プール設備より小さいため、水泳運動をする時、有効にエネルギーを節約できる。
【００２９】
以上の説明から分かるように、本発明は、確実に発明の予期の目的を達成でき、水循環の効果を達成できるだけでなく、建築済みの異なる長さのプールに設置でき、そして、柔軟的でありながら、工事費を節約できる実用的なものである。
【図面の簡単な説明】
【００３０】
【図１】本発明の追加式プールの水循環方法のステップの流れ図
【図２】本発明のプールの水の循環装置の第１の実施例の一部の素子の分解図
【図３】本発明の第１の実施例を建築済みのプールに実装される時の断面図
【図４】本発明の第１の実施例を建築中のプールに嵌設する時の断面図
【図５】本発明の第１の実施例の循環水流の形成の概念図
【図６】本発明の第１の実施例の循環水流の形成の上面概念図
【図７】本発明の第１の実施例の使用状態図
【図８】本発明の水循環動作機構が空気動力噴射式であるの第１の実施例の使用状態図
【図９】本発明の第１の実施例の複数のガイドパイプを前後ガイドパイプセットに分ける時の局部断面図
【図１０】本発明の第１の実施例の複数のガイドパイプを前後ガイドパイプセットに分ける時の上面概念図
【図１１】本発明の第２の実施例の循環水流の形成の上面概念図
【図１２】従来の米発明No.１，７３１，５５４特許案の断面図
【図１３】従来の米発明No.２，０３５，８３５特許案の使用状態図
【図１４】従来のドイツ特許No.２，２２２，５９４許可案の使用状態図
【符号の説明】
【００３１】
A                 プール装置
A１               水循環システム
B                 プール
B１               水循環システム
１                プールの水の循環装置
２                容器
２１              前箱
２１１            貫通孔
２１２            ガイドパイプ
２１３            ガイド板
２１４            前ガイドパイプセット
２１５            後ガイドパイプセット
２２              底箱
２２１            上面
２２２            斜面
２２３            底面
２３              後箱
２４              排水口
２５              入水口
２６              水流通道
３                水循環動作機構
３１              電動機
３２              駆動体
３３              タービン翼セット
４                検知器
５                水循環動作機構
５１              送風機
５２              ノズル
６                容器
６１              排水口
６２              入水口
９                プール
【図１】
2007309003.tif 000003
【図２】
2007309003.tif 000004
【図３】
2007309003.tif 000005
【図４】
2007309003.tif 000006
【図５】
2007309003.tif 000007
【図６】
2007309003.tif 000008
【図７】
2007309003.tif 000009
【図８】
2007309003.tif 000010
【図９】
2007309003.tif 000011
【図１０】
2007309003.tif 000012
【図１１】
2007309003.tif 000013
【図１２】
2007309003.tif 000014
【図１３】
2007309003.tif 000015
【図１４】
2007309003.tif 000016